(57)【特許請求の範囲】
【請求項１】
担架が、樹脂シート又は布製シートなどによる軟質シート材により構成されている担架部材（１００）と足載せ部材（２００）とが展開した状態で連続して形成されており、
上記担架部材（１００）は被搬送者を仰向けに寝かせた時に背中及び腰部を支えるものであって、基端部に頭載台（１０１）及び該頭載台（１０１）の両側に隣接し上記足載せ部材（２００）の先端部に達する長さを有する一対の搬送ベルト（１０２）を設け、
上記搬送ベルト（１０２）の自由端に当該搬送ベルト同士又は上記足載せ部材（２００）に着脱自在に結合する結合具を設け、
上記頭載台（１０１）と上記搬送ベルト（１０２）とを連結紐（１０８）により連結し、
上記担架部材（１００）の中央部両側縁に被搬送者の胸部及び／又は腹部を当該担架部材（１００）に固定するための胴部固定ベルト（１０５）を設け、該胴部固定ベルト（１０５）は重合部分に面ファスナーを設けて開閉自在とし、
上記担架部材（１００）の先端部近傍に大腿部固定ベルト（１１０）を設け、該大腿部固定ベルト（１１０）の自由端に当該大腿部固定ベルト同士を着脱自在に結合する結合具を設け、
上記担架部材（１００）の基端部近傍に肩部固定ベルト（１１２）を設け、該肩部固定ベルト（１１２）は先端部に当該担架部材（１００）に着脱自在に結合する結合具を設け、
上記足載せ部材（２００）に足挿入袋（２０１）を設けるとともに、当該足載せ部材（２００）の自由端に肩掛け搬送ベルト（２１０）を着脱自在に結合する結合具を設け、
上記担架部材（１００）の裏面四隅部に取手環（１２０，１２１）を設けけたものであって、
担架は背負い型と担架型の搬送が可能であり、背負い型は、被搬送者を上記担架部材（１００）に仰向け状態に固定して当該担架部材（１００）の基端部を起し、搬送は前方搬送者と後方搬送者で行い、前方搬送者が立て膝をした状態で上記担架部材（１００）の裏面部を背中に当接し、自由状態になっている上記搬送ベルト（１０２）を前方搬送者の正面に引出して結合し、後方搬送者が上記肩掛け搬送ベルト（２１０）を上記足載せ部材（２００）に固定して肩に掛けて搬送するものであり、担架型は、被搬送者を上記担架部材（１００）に固定して上記搬送ベルト（１０２）を上記足載せ部材（２００）に固定し、搬送は二人で行い、各人が当該搬送ベルト（１０２）を肩に掛けて搬送するものであることを特徴とする担架。
【請求項２】
担架部材（１００）と搬送ベルト（１０２）との間に、両者を連結する補助搬送ベルト（１０７）を設けたことを特徴とする請求項１に記載の担架。
【請求項３】
足載せ部材（２００）は、任意の位置に杖収納袋（２２１）を設けたことを特徴とする請求項１又は２に記載の担架。
【発明の詳細な説明】
【技術分野】
【０００１】
本発明は、担架に関しており、さらに詳しくは、階段等の狭い場所での使用に好適な担架に関している。
【背景技術】
【０００２】
従来から知られている担架は、方形に形成された搬送布の両側部に当該搬送布から突出する棒材を設けたものであって、搬送布に被搬送者を乗せ、搬送者が搬送布の前後から突出している棒材を握り、二人掛かりで被搬送者を搬送するものであった。しかし、従来タイプの担架は、搬送用の棒材が設けられているので、階段など狭い場所での使用が不便であり使い勝手が良いとは言えなかった。
【０００３】
上記した不便を解消し、狭い場所でも使用が容易な担架並びに搬送用具が提案されており、その一例として、方形状布の四隅部に搬送手段としての取っ手を設け、左右両側部に肩担ぎ紐ないしは肩掛けベルトを設けた担架（特許文献１，２）、また、被搬送者を一人で背負って搬送できるようにした搬送用具がある（特許文献３，４）。
【０００４】
【特許文献１】特開２００３−３８５７５号公報
【特許文献２】登録実用新案第３１０８１９０号公報
【特許文献３】特開２００２−３６０６３３号公報
【特許文献４】登録実用新案第３１１９３２３号公報
【０００５】
特許文献１，２に記載の担架は、搬送用の棒材を使用しないものであり、また担架本体が布製であるから、小回りが可能となり、狭い場所で使用し易いことの利点があるが、被搬送者を担架に固定する手段を備えていないので、被搬送者を搬送する場合は最善の注意を要することが当然であることを前提としても、被搬送者を安定よく搬送することが難しいものである。
【０００６】
また、特許文献３，４に記載の搬送器具は、被搬送者を一人で背負って搬送できる利点があるが、成人一人を背負うにはそれなりの体力が要求されるので、たとえ健常者であっても、被搬送者を背負うのは容易でなく、まして体力的に劣る高齢者にとっては使い勝手が良いとは言えないものである。
【０００７】
従来から担架は、急病人や怪我人を搬送するための用具として用いられてきたが、近時は、介護施設などにおいて高齢者が高齢者を介護する場合にも使用されており、担架が病人や怪我人の搬送以外の目的で使用されることが多くなってきている。このような要求を満たすためには、使用方法が簡単なこと、２〜３人で搬送することを想定すれば、搬送作業に過大の体力を要しないことが重要な問題となる。
【発明の開示】
【発明が解決しようとする課題】
【０００８】
本発明が解決しようとする課題は、搬送用の棒材を不要にすることで、階段などの狭い場所でも被搬送者を容易に搬送でき、かつ、被搬送者の固定手段を備えることで、安定よく搬送できるようにした担架を提供することである。
【課題を解決するための手段】
【０００９】
課題を解決するための第１の手段は、担架が、樹脂シート又は布製シートなどによる軟質シート材により構成されている担架部材と足載せ部材とが展開した状態で連続して形成されており、上記担架部材は被搬送者を仰向けに寝かせた時に背中及び腰部を支えるものであって、基端部に頭載台及び該頭載台の両側に隣接し上記足載せ部材の先端部に達する長さを有する一対の搬送ベルトを設け、上記搬送ベルトの自由端に当該搬送ベルト同士又は上記足載せ部材に着脱自在に結合する結合具を設け、上記頭載台と上記搬送ベルトとを連結紐により連結し、上記担架部材の中央部両側縁に被搬送者の胸部及び／又は腹部を当該担架部材に固定するための胴部固定ベルトを設け、該胴部固定ベルトは重合部分に面ファスナーを設けて開閉自在とし、上記担架部材の先端部近傍に大腿部固定ベルトを設け、該大腿部固定ベルトの自由端に当該大腿部固定ベルト同士を着脱自在に結合する結合具を設け、上記担架部材の基端部近傍に肩部固定ベルトを設け、該肩部固定ベルトは先端部に当該担架部材に着脱自在に結合する結合具を設け、上記足載せ部材に足挿入袋を設けるとともに、当該足載せ部材の自由端に肩掛け搬送ベルトを着脱自在に結合する結合具を設け、上記担架部材の裏面四隅部に取手環を設けけたものであって、担架は背負い型と担架型の搬送が可能であり、背負い型は、被搬送者を上記担架部材に仰向け状態に固定して当該担架部材の基端部を起し、搬送は前方搬送者と後方搬送者で行い、前方搬送者が立て膝をした状態で上記担架部材の裏面部を背中に当接し、自由状態になっている上記搬送ベルトを前方搬送者の正面に引出して結合し、後方搬送者が上記肩掛け搬送ベルトを上記足載せ部材に固定して肩に掛けて搬送するものであり、担架型は、被搬送者を上記担架部材に固定して上記搬送ベルトを上記足載せ部材に固定し、搬送は二人で行い、各人が当該搬送ベルトを肩に掛けて搬送するものであることを特徴とするものである。
【００１０】
課題を解決するための第２の手段は、解決手段の第１において、担架部材と搬送ベルトとの間に、両者を連結する補助搬送ベルトを設けたことを特徴とするものである。
【００１１】
課題を解決するための第３の手段は、解決手段の第１又は２において、足載せ部材は任意の位置に杖収納袋を設けたことを特徴とするものである。
【発明の効果】
【００１４】
請求項１は、担架が樹脂シート又は布製シートなどによる軟質シート材により構成されており、担架を使用する時は、背負い型と担架型の搬送が選択でき、背負い型により被搬送者を搬送する場合は、担架に被搬送者を仰向けにして胴部固定ベルトなどの固定手段により固定したのち担架部材の基端部を起し、該担架部材の裏面を前方搬送者が背中で背負い、自由状態になっている搬送ベルトを前方搬送者の正面で結合し、後方搬送者が足載せ部材に結合した肩掛け搬送ベルトを肩に掛け、被搬送者の脚部姿勢を水平状態とし、前方搬送者及び後方搬送者の二人の搬送者によって搬送するものであるから、階段などの狭い通路での使用又はエレベータに乗り込むことが容易であることの効果がる。
【００１５】
請求項１は、被搬送者の固定手段として、面ファスナーにより開閉自在な胴部固定ベルト及び結合具により着脱自在な大腿部固定ベルト並びに肩部固定ベルトを設けたものであるから、被搬送者を担架への固定が迅速かつ容易になるものであり、さらに、足載せ部材に足挿入袋を設けているから、被搬送者の足先を挿入すれば、上記固定手段と相俟って被搬送者を安定よく担架に固定することができる効果がある。
【００１６】
また、請求項１は、被搬送者の頭部を支える頭載台を有しており、頭載台が連結紐によって搬送ベルトに連結されているから搬送中に頭載台が動くのを防ぐことができるので、担架を背負い型によって使用した場合、搬送中は当該頭載台がやや起された状態になるから、被搬送者は頭部が下がることによる不安感がないだけでなく、搬送中は後方搬送者と正対した状態で搬送されるので、仰向けに寝たまま搬送される場合と異なり安心した心地で搬送されるものとなる。この他、担架型で搬送される場合であっても、被搬送者は側部搬送者の顔を見ることができるので、搬送中の不安感が解消される利点がある。
【００１７】
この他、請求項１は、担架部材の裏面四隅部に取手環を設けたものであるから、担架を担架型で搬送する場合の側部搬送者の取っ手となり、また、背負い型で搬送する場合は搬送ベルトを通して担架部材を背負い易くしており、安全性が確保できる効果がある。
【００１８】
さらに請求項１は、担架を背負い型によって使用した場合、前方搬送者は両手が解放された状態で搬送できるので、安定感があるだけでなく、例えば、狭い場所又は階段では、壁に伝わりながら搬送することができる等の利点がある。
【００１９】
請求項２は、担架部材と搬送ベルトとの間に両者を連結する補助搬送ベルトを設けたものであるから、被搬送者を搬送する時は担架に固定しているが、当該固定手段を補助して万一にも被搬送者が担架から脱落することを防止する効果がある。
【００２０】
請求項３は、足載せ部材に杖収納袋を設けたものであるから、担架の搬送に使用する杖を予め確保しておくことができることの効果がある。
【発明を実施するための最良の形態】
【００２２】
図１は本発明の担架を表面側からみた状態を示す全体の斜視図、図２は本発明の担架を裏面側からみた状態を示す全体の斜視図、図３は本発明の担架を示す断面図、図４は担架に被搬送者を固定した状態を示す平面図、図５は背負い型で被搬送者を搬送する場合の作業手順を示す斜視図、図６は担架の足載せ部材に肩掛けベルトを結合する状態を示す斜視図、図７は背負い型で被搬送者を搬送している状態を示す斜視図、図８は担架型で被搬送者を搬送する場合の作業手順を示す斜視図、図９は担架型で被搬送者を搬送している状態を示す斜視図である。図１０は足挿入袋の先端に杖を収容する杖収容袋を設けた状態を示す斜視図である。
【００２３】
図１から図３において、担架１は、展開した状態で担架部材１００及び足載せ部材２００が連続して形成されたものであり、該担架部材１００並びに足載せ部材２００は、樹脂シート又は布製シートなどによる軟質シート材により構成されている。
【００２４】
上記担架部材１００は、本体部分が被搬送者を仰向きに寝かせた時に背中及び腰部を支えるものであり、内部に詰物を収容するなどにより適度な厚みを持たせ、被搬送者が心地よく搬送されるようにしている。また、担架部材１００の基端部には、被搬送者の頭部を支えるための頭載台１０１が設けられている。
【００２５】
本明細書において、担架１及び担架部材１００の「基端部」とは、頭載台１０１が設けられている部分、すなわち、被搬送者を搬送する時の被搬送者の頭部方向となる端縁をいい、また、担架１の「先端部」とは、足載せ部材２００の自由端をいい、担架部材１００の「先端部」とは、足載せ部材２００を設けた方の端縁をいう。
【００２６】
上記した担架部材１００の基端部には、上記頭載台１０１の両側に隣接する一対の搬送ベルト１０２が設けられており、当該搬送ベルト１０２は、先端部に第１の結合具１０３が設けられ、途中に長さ調整具１０４が設けられており、全体の長さが調整できるようになっている。なお、搬送ベルト１０２は、上記足載せ部材２００の先端部にまで達する長さを有している。
【００２７】
上記した担架部材１００の略中央部分の両側縁には、被搬送者の胸部及び／又は腹部を担架１に固定するための胴部固定ベルト１０５が設けられており、該胴部固定ベルト１０５は、被搬送者の胸部及び／又は腹部を重合できる長さを有している。なお、胴部固定ベルト１０５の重合部分に面ファスナー１０６を設けて開閉自在としている。
【００２８】
また、上記担架部材１００には、胴部固定ベルト１０５を設けた位置に、当該担架部材１００と上記搬送ベルト１０２を連結した補助搬送ベルト１０７が設けられている。補助搬送ベルト１０７は、被搬送者の固定手段を補助し、万一にも被搬送者が担架から脱落するのを防止している。さらに、上記頭載台１０１と上記搬送ベルト１０２は、連結紐１０８により連結されており、搬送中に頭載台１０１が動くのを防ぎ、被搬送者の頭部を固定して搬送できるようにしている。
【００２９】
また、上記担架部材１００の先端部には、被搬送者の大腿部を固定する大腿部固定ベルト１１０が設けられており、該大腿部固定ベルト１１０の自由端には第２の結合具１１１が設けられている。なお、上記した搬送ベルト１０２に設けた第１の結合具１０３及び大腿部固定ベルト１１０に設けた第２の結合具１１１は、いずれも、ベルト同士を結合するものであるから、雄型と雌型が一対で形成されているものを使用する。
【００３０】
上記担架部材１００には、頭載台１０１と胴部固定ベルト１０５の間に、被搬送者の肩部を固定するための肩部固定ベルト１１２が設けられている。肩部固定ベルト１１２は、基部を担架部材１００に固定したものであって、長さ調整ができる構造に形成されていると共に、先端部が当該担架部材１００に設けた第３の結合具１１３に対し着脱自在になっている。
【００３１】
また、上記担架部材１００の裏面には、基端部に第１の取手環１２０が設けられ、先端部に第２の取手環１２１が設けられており、これら取手環は、担架型で被搬送者を搬送する時に使用するものであるが、特に基端部に設けた第１の取手環１２０は、担架１を背負い型で使用する時に搬送ベルト１０２を通して担架部材１００を背負い易くするものである（図２参照）。
【００３２】
上記の足載せ部材２００は、軟質シート材だけで構成されており、先端部に足挿入袋２０１が設けられている。足挿入袋２０１は、被搬送者の足先を挿入することで被搬送者の固定手段と相俟って安定よく担架に固定できるものである。また、足載せ部材２００の自由端には、上記搬送ベルト１０２に設けた第１の結合具１０３と結合させる第４の結合具２０２が設けられている。なお、第４の結合具２０２は、第１の結合具１０３の結合具が雄型構造のものに対しては雌型構造を配置し、雌型構造のものに対しては雄型構造を配置する必要がある。
【００３３】
上記足載せ部材２００を担ぐ部材として肩掛け搬送ベルト２１０が用意されている。該肩掛け搬送ベルト２１０は、担架１を背負い型で搬送する時に使用するベルトであって、各自由端に足載せ部材２００が有する第４の結合具２０２と結合させる第５の結合具２１１を設けたものである。また、肩掛け搬送ベルト２１０は、被搬送者の姿勢を一定に保持できるように、搬送者の身長に合わせて全体の長さが調整できるように、長さ調整具２１２を有しており、当該搬送ベルト２１０の長さが調整できるようになっている。
【００３４】
上記肩掛け搬送ベルト２１０をはじめ、搬送ベルト１０２，胴部固定ベルト１０５，肩部固定ベルト１１２は、担架使用時に所定の結合具と結合するので、緊急時にベルトを正しく結合するために、例えば、結合具を色分けするか又は結合具に数字を表記するなどの手段をとることができる。
【００３５】
この他、実施形態の担架には、附属品として搬送者が使用する杖を装着しておくことができる。後に詳しく説明するが、本発明の担架は、前方及び後方搬送者の二人によって搬送するものであるが、いずれの搬送者も両手が解放されているので、搬送中の安全を確保するために杖が使用できるようになっている。具体的には、図１０に示すように、杖２２０は伸縮可能なものを使用し、縮小した状態で上記足挿入袋２０１の先端に設けた杖収納袋２２１内に収容する。なお、杖収納袋２２１には蓋体２２２が設けられており、蓋体２２２は面ファスナーなどにより常時は開口部を閉塞しておく。
【００３６】
実施形態において、杖２２０を収容する杖収納袋２２１は担架の長手方向に対し直交する方向、すなわち、杖２２０が横向き方向に収容されるので、担架搬送時に力が左右に分散されて安定感があり、また、背の低い人を搬送するときは、足載せ部材２００が弛む傾向にあるので、その対応のためにも横向きに収容する方が優れている。ただし、杖２２０の収容位置は、足挿入袋２０１の先端に限るものでなく任意の場所に収容又は装着することができることは勿論である。
【００３７】
本発明の実施形態は上記のとおりであり、次に、実施形態を使用して被搬送者を搬送する方法を説明する。
【００３８】
実施形態の使用方法には、背負い型と担架型があり、背負い型は前方搬送者と後方搬送者の二人で搬送し、担架型は左右を支持する二人の側方搬送者で搬送する。まず、搬送に先立ち、被搬送者を担架に乗せ固定する。担架１は、担架部材１００と足載せ部材２００が平らになるように展開し、胴部固定ベルト１０５は面ファスナー１０６の係合を解除して担架部材１００の外側に拡げ、大腿部固定ベルト１１０は第２の結合具１１１の係合を解除してこれも担架部材１００の外側に拡げる。また、同時に肩部固定ベルト１１２も第３の結合具１１３の係合を解除して自由状態にする。
【００３９】
次に、被搬送者を担架１に仰向け状態に寝かせる。被搬送者は、頭部を頭載台１０１に乗せ、足部を足載せ部材２００の足挿入袋２０１に挿入する。次いで、胴部固定ベルト１０５を被搬送者の胸部及び腹部部分で重合して面ファスナー１０６を係合し、また、大腿部固定ベルト１１０の第２の結合具１１１を被搬送者の大腿部において係合し、さらに、肩部固定ベルト１１２を被搬送者の腋の下から通して第３の結合具１１３を係合し、これにより、図４に示すように、被搬送者の肩部、胴部及び大腿部のそれぞれを担架部材１００に固定し、足部を足載せ部材２００の足挿入袋２０１に挿入して担架１に固定する。
【００４０】
なお、上記肩部固定ベルト１１２は、長さを調整できる機能を有しているから、被搬送者の体形に応じた長さに調整して肩部を固定する。また、上記搬送ベルト１０２も長さ調整具１０４により全体の長さを調整しておく。図４に示す実施形態において、被搬送者は胴部固定ベルト１０５により胴部のみが固定されており、腕が自由状態になっているから窮屈感がなく開放的であるが、仮に、被搬送者が病人又は怪我人であって腕が不自由な場合は、胴部固定ベルト１０５によって被搬送者の腕も一緒に固定して搬送するとよい。そうすれば、被搬送者の腕の安全が確保され、また、搬送する人も安定して搬送することが出来ることになる。
【００４１】
図５を参照して、背負い型によって被搬送者の搬送を行なうには、被搬送者を固定した状態で担架部材１００の基端部を起し、前方搬送者が立て膝をした状態で担架部材１００の裏面部を背中に当接する（図５Ａ）。この時、自由状態になっている搬送ベルト１０２を前方搬送者の腋の下を通して当該搬送者の後頭部に誘導する。続いて、搬送ベルト１０２を搬送者の後頭部で交差させ、搬送ベルト１０２と頭載台１０１を連結している連結紐１０８及び担架部材１００の裏面に設けた第１の取手環１２０を通し、再び自由端を搬送者の腋の下に向って誘導する（図５Ｂ）。
【００４２】
連結紐１０６及び第１の取手環１２０を通した後、前方搬送者の腋の下を通して搬送者の正面に引き出された搬送ベルト１０２は、それぞれの自由端に設けられた第１の結合具１０３を係合して当該搬送ベルト１０２を結合する（図５Ｃ）。
【００４３】
上記手順を経ることにより前方搬送者が担架部材１００を背負う作業が完了するが、前方搬送者が、担架部材１００を背負う作業をしている間、後方搬送者は、引き起した担架部材１００が傾いたりしないように支えたり、また、搬送ベルト１０２を結合する作業の手助けをするなどの補助作業を行っている。
【００４４】
次いで図６を参照して、後方搬送者が、肩掛け搬送ベルト２１０の第５の結合具２１１を足載せ部材２００の先端部に設けた第４の結合具２０２に結合し、当該肩掛け搬送ベルト２１０を環状に形成する。後方搬送者は、腰をかがめて低い姿勢をしたまま環状に形成された肩掛け搬送ベルト２１０を肩に掛ける。
【００４５】
被搬送者を搬送するには、前方搬送者と後方搬送者が同時に立ち上る。これにより、背負い型による搬送の準備作業が完了するので、前方及び後方搬送者が同時に立ち上がって担架１を担ぎ、所望する場所へ被搬送者を搬送する。なお、後方搬送者が立ち上った時に被搬送者の脚部姿勢が水平状態に維持されることが望ましいので、足載せ部材２００が水平状態になるように、肩掛け搬送ベルト２１０の長さ調整具２１２を使用して当該ベルトの長さを調整し、被搬送者が搬送される時は脚部が水平状態となるようにする。
【００４６】
図７に示すように、前方搬送者は担架部材１００を背負っており、後方搬送者は足載せ部材２００を肩に掛けているので、被搬送者は上半身を起した状態で担架１に固定されて搬送される。
【００４７】
実施形態による担架を、背負い型によって使用した場合は、従来構造の搬送棒が不要となっているから、階段などの狭い通路又はエレベータによる搬送が容易となる。また、被搬送者は、あたかも椅子に座っている状態で搬送されるので、仰向けに寝たまま搬送される場合と異なり、不安感がなく安心した心地で搬送される利点がある。
【００４８】
また、担架を背負い型によって使用した場合は、前方及び後方搬送者は、いずれも両手が解放されているので、両手が自由になっているので安定感があるだけでなく、例えば狭い場所又は階段では壁に伝わりながら搬送することができる等の利点がある。また、両手が使用できるので、杖を使いながらの搬送が可能であり、高齢者が高齢者を搬送するときの利便性がよくなっている。
【００４９】
実施形態は、担架１を担架型としても使用することができる。図８を参照して、搬送ベルト１０２を足載せ部材２００の第４の結合具２０２に結合する。すなわち、足載せ部材２００に設けた第４の結合具２０２から肩掛け搬送ベルト２１０を外し、代わりに搬送ベルト１０２の第１の結合具１０３を係合して当該搬送ベルト１０２を足載せ部材２００に設けた第４の結合具２０２に結合する。
【００５０】
担架型の場合も二人で搬送するものであり、搬送者は担架の側部で側部搬送者として搬送する。実施形態を担架型で使用する時は、一人の側部搬送者が、担架１に向って正対し立て膝をついた状態で搬送ベルト１０２を肩に掛け、もう一人の側部搬送者も同様に担架１に向って正対し、他の搬送ベルト１０２を肩に掛ける。
【００５１】
次いで、二人の側部搬送者が同時に立ち上り、図９に示すように、担架部材１００の裏面四隅部に設けた第１の取手環１２０及び第２の取手環１２１を持って担架１を支持し、所望の場所へ被搬送者を搬送する。
【００５２】
なお、実施形態において、搬送者は第１及び第２の取手環１２０，１２１を持って担架を搬送しているが、例えば、搬送者の一人が被搬送者の頭部近くの搬送ベルト１０２を持ち、もう一人の搬送者が足挿入袋２０１近くの搬送ベルト１０２を持って搬送することができる。この場合、足挿入袋２０１付近を持った搬送者が先頭になれば、階段などの狭い場所であっても担架型としての搬送が可能となるものである。
【００５３】
実施形態による担架を、担架型によって使用した場合であっても、従来構造の搬送棒がないので、階段などの狭い通路又はエレベータによる搬送が容易となる。ただし、担架型の場合、被搬送者は仰向けに寝たまま搬送されるが、頭載台１０１は頭部が起きた方向に傾いており、被搬送者は側部搬送者の顔を見ながら搬送されるので、担架型による場合であっても、不安感がなく安心した心地で搬送される利点がある。
【００５４】
実施形態の担架は、背負い型及び担架型のいずれの場合も二人の搬送者で使用するものであるから、搬送に際して特別の力を必要としないものであり、高齢者が高齢者を搬送する場合にも活用できるものとなっている。
【図面の簡単な説明】
【００５５】
【図１】本発明の担架を表側からみた状態を示す全体の斜視図。
【図２】本発明の担架を裏側からみた状態を示す全体の斜視図。
【図３】本発明の担架を示す断面図。
【図４】担架に被搬送者を固定した状態を示す平面図。
【図５】背負い型で被搬送者を搬送する場合の作業手順を示す斜視図。
【図６】担架の足載せ部材に肩掛けベルトを結合する状態を示す斜視図。
【図７】背負い型で被搬送者を搬送している状態を示す斜視図。
【図８】担架型で被搬送者を搬送する場合の作業手順を示す斜視図。
【図９】担架型で被搬送者を搬送している状態を示す斜視図。
【図１０】足挿入袋の先端に杖を収容する杖収容袋を設けた状態を示す斜視図。
【符号の説明】
【００５６】
１  担架
１００  担架部材
１０１  頭載台
１０２  搬送ベルト
１０３  第１の結合具
１０４  長さ調整具
１０５  胴部固定ベルト
１０６  面ファスナー
１０７  補助搬送ベルト
１０８  連結紐
１１０  大腿部固定ベルト
１１１  第２の結合具
１１２  肩部固定ベルト
１１３  第３の結合具
１２０  第１の取手環
１２１  第２の取手環
２００  足載せ部材
２０１  足挿入袋
２０２  第４の結合具
２１０  肩掛け搬送ベルト
２１１  第５の結合具
２１２  長さ調整具
２２０  杖
２２１  杖収容袋
２２２  蓋体
【図１】
0004976742.tif 000002
【図２】
0004976742.tif 000003
【図３】
0004976742.tif 000004
【図４】
0004976742.tif 000005
【図５】
0004976742.tif 000006
【図６】
0004976742.tif 000007
【図７】
0004976742.tif 000008
【図８】
0004976742.tif 000009
【図９】
0004976742.tif 000010
【図１０】
0004976742.tif 000011